【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
分散燃焼を実行する方法であって、
バーナブロックに配設された燃料ノズルから燃料噴射軸に沿って炉の中に燃料を噴射するステップと、ここで、前記燃料ノズルの軸は燃料噴射ノズルであり、
一次の酸化剤ノズルから前記炉の中に酸化剤を噴射するステップであって、前記燃料ノズルおよび前記一次の酸化剤ノズルが、互いに同心に配設されている、酸化剤を噴射するステップと、
前記炉内で前記燃料および前記一次の酸化剤を燃焼させるステップと、
前記バーナブロックにおける前記燃料ノズルの両側に配設された第１および第２の動的ランスから前記炉の中に二次の酸化剤の第１および第２のジェットを噴射させるステップと、
二次の酸化剤の第１及び第２のジェットとして噴射される二次の酸化剤の量が増加するに従い、前記一次の酸化剤ノズルから噴射される酸化剤の量を減少させるステップと、
二次の酸化剤の前記第１および第２のジェットが、前記燃料噴射軸から離れるように流体的に角度が付けられるように、二次の酸化剤の第１および第２のジェットに対してそれぞれある角度で作動流体の前記第１および第２のジェットを噴射するステップと
を含む方法。
【請求項２】
前記燃料がガスである、請求項１に記載の方法。
【請求項３】
前記燃料が、霧化した液体である、請求項１に記載の方法。
【請求項４】
前記燃料が粉状の固体である、請求項１に記載の方法。
【請求項５】
前記燃料が粉炭である、請求項４に記載の方法。
【請求項６】
前記粉炭が、流動化され、空気の搬送ガスまたはリサイクルした燃料ガスを用いて噴射される、請求項５に記載の方法。
【請求項７】
前記炉の中に噴射される前記燃料および一次の酸化剤の量を増加させるステップと、
第１および第２の作動流体のジェットとして噴射される前記作動流体の量を減少させるステップであって、それによって二次の酸化剤の前記第１および第２のジェットが、前記燃料噴射軸から離れるように流体的に角度が付けられる程度を減少させる、作動流体の量を減少させるステップと
をさらに含む、請求項１に記載の方法。
【請求項８】
それぞれ前記燃料ノズルの上下に配設される第１のおよび第２の低速酸化剤ランスから二次の酸化剤の追加の一部を噴射させるステップをさらに含み、
二次の酸化剤の前記追加の一部が、前記第１および第２の動的ランスからの速度よりも小さい速度で噴射される、請求項１に記載の方法。
【請求項９】
前記燃料および前記酸化剤の燃焼が、目に見えない炎を発生させる、請求項１に記載の方法。
【請求項１０】
前記作動流体の噴射が開始される前に、前記燃料および前記二次の酸化剤の前記第１および第２のジェットが、互いに平行に噴射される、請求項１に記載の方法。
【手続補正２】
【補正対象書類名】明細書
【補正対象項目名】００７０
【補正方法】変更
【補正の内容】
【００７０】
本発明を実施するための好適なプロセスおよび装置を説明した。本発明の精神および範囲から逸脱することなく、多くの変更および修正が上述の実施形態になされてもよいことが当業者には理解され、容易に明らかになろう。前述したものは、例示に過ぎず、その統合したプロセスおよび装置の他の実施形態は、添付の特許請求に範囲に定められた本発明の真の範囲から逸脱することなく用いられてもよい。
以下、出願当初の特許請求の範囲の記載事項を付記しておく。
［１］
分散燃焼を実行する方法であって、
バーナブロックに配設された燃料ノズルから燃料噴射軸に沿って炉の中に燃料を噴射するステップと、
一次の酸化剤ノズルから前記炉の中に酸化剤を噴射するステップであって、前記燃料ノズルおよび前記一次の酸化剤ノズルが、互いに同心に配設されている、酸化剤を噴射するステップと、
前記炉内で前記燃料および前記一次の酸化剤を燃焼させるステップと、
前記一次の酸化剤から噴射される酸化剤の量を減少させるステップと、
前記バーナブロックにおける前記燃料ノズルの両側に配設された第１および第２の動的ランスから前記炉の中に前記酸化剤の第１および第２のジェットを噴射させるステップと、
二次の酸化剤の前記第１および第２のジェットが、前記燃料噴射軸から離れるように流体的に角度が付けられるように、酸化剤の第１および第２のジェットに対してそれぞれある角度で作動流体の前記第１および第２のジェットを噴射するステップと
を含む方法。
［２］
前記燃料がガスである、［１］の方法。
［３］
前記燃料が、霧化した液体である、［１］の方法。
［４］
前記燃料が粉状の固体である、［１］の方法。
［５］
前記燃料が粉炭である、［４］の方法。
［６］
前記粉炭が、流動化され、空気の搬送ガスまたはリサイクルした燃料ガスを用いて噴射される、［５］の方法。
［７］
前記炉の中に噴射される前記燃料および前記酸化剤の量を増加させるステップと、
第１および第２の作動流体のジェットとして噴射される作動流体の量を減少させるステップであって、それによって二次の酸化剤の前記第１および第２のジェットが、前記燃料噴射軸から離れるように流体的に角度が付けられる程度を減少させる、作動流体の量を減少させるステップと
をさらに含む、［１］の方法。
［８］
それぞれ前記燃料ノズルの上下に配設される第１のおよび第２の低速酸化剤ランスから二次の酸化剤の追加の一部を噴射させるステップをさらに含み、
二次の酸化剤の前記追加の一部が、前記第１および第２の動的ランスからの速度よりも小さい速度で噴射される、［１］の方法。
［９］
前記燃料および前記酸化剤の燃焼が、目に見えない炎を発生させる、［１］の方法。
［１０］
前記作動流体の噴射が開始される前に、前記燃料および前記二次の酸化剤の前記第１および第２のジェットが、互いに平行に噴射される、［１］の方法。
［１１］
前記作動流体の噴射が開始される前に、二次の酸化剤の前記第１および第２のジェットが、ある角度で前記燃料噴射軸から離れるように噴射され、
前記作動流体の噴射が開始された後、二次の酸化剤の前記第１および第２のジェットが、より大きい角度で前記燃料噴射軸から離れるように噴射される
［１］の方法。
［１２］
分散燃焼を実行するためのバーナであって、
燃焼空間から離れるように面するようになされている第１の面、および燃焼空間に向かって面するようになされている第２の面を有するバーナブロックと、
前記第１の面から前記第２の面へ延びる燃料／酸化剤ノズルであって、前記燃料／酸化剤ノズルが、外側チューブ内に同心で配設される内側チューブを備え、前記燃料／酸化剤ノズルが、燃料噴射軸に沿って炉の中に燃料および一次の酸化剤を噴射するようになされる、燃料／酸化剤ノズルと、
前記燃料／酸化剤ノズルから等間隔で配置され、前記第１の面から前記第２の面へ延びる第１および第２の動的ランスと
を備え、
前記第１の動的ランスの各々が、
前記第１の面に隣接した入口端部、および前記第２の面に面する末端端部を備える本体であって、二次の酸化剤噴射チャンネル、および作動流体噴射チャンネルが、前記バーナブロックの前記第１の面から本体の末端端部へ本体を通じて延び、前記作動流体噴射チャンネルが、前記燃料／酸化剤ノズルから離れるように前記二次の酸化剤噴射チャンネルの側部に配設される本体と、
前記本体の末端端部の上に配設されるキャップであって、キャップが、前記本体の末端端部に嵌め合うようになされている嵌め合う端部と、前記第２の面に隣接した末端端部とを有し、キャップが、前記外側チューブの内径に対応するようにサイズが作製され、二次の酸化剤のジェットが、前記二次の酸化剤噴射チャンネルから現れ、前記末端端部の開口から出て行くことを可能にするようになされるキャップの末端端部中の開口をさらに有し、キャップが、前記作動流体噴射チャンネルとキャップの末端端部との間に流体連通を行うよう構成され、作動流体のジェットが、前記燃料噴射軸から離れるように前記二次の酸化剤のジェットを角度付けるように、前記二次の酸化剤噴射チャンネルから二次の酸化剤のジェットに衝突することを可能にするようになされているキャップとを備える、バーナ。
［１３］
前記キャップの各々が、それぞれの前記動流体噴射チャンネルとキャップの末端開口の間に流体連通する空洞をさらに備え、
前記二次の酸化剤が前記末端開口から出る前に、前記作動流体噴射チャンネル、二次の酸化剤噴射チャンネル、空洞、および末端開口が、前記作動流体のジェットが、前記二次の酸化剤のジェットに衝突するように構成および適合される、［１２］のバーナ。
［１４］
前記キャップの各々が、それぞれの前記作動流体噴射チャンネルと前記キャップの末端端部との間に延びる穴をさらに備え、
前記作動流体噴射チャンネル、二次の酸化剤噴射チャンネル、穴、および末端開口が、前記二次の酸化剤が前記末端開口から出た後に、前記作動流体のジェットが、前記二次の酸化剤のジェットに衝突するように構成および適合される、［１２］のバーナ。
［１５］
前記二次の酸化剤噴射チャンネルの各々が、前記燃料噴射軸に対してある角度を形成する軸に沿って延びる、［１２］のバーナ。
［１６］
前記二次の酸化剤噴射チャンネルの各々が、前記燃料噴射軸に平行な軸に沿って延びる、［１２］のバーナ。
［１７］
［１２］の前記バーナと、前記燃料／酸化剤ノズルに流体連通する燃料源と、前記燃料／酸化剤ノズルおよび前記動的ランスに流体連通する酸化剤源とを備えるバーナシステム。
［１８］
前記燃料が燃料オイル油である、［１７］のバーナ。
［１９］
前記燃料が、空気の搬送ガスまたはリサイクルした燃料ガスで流動化される粉炭である、［１７］のバーナ。
［２０］
前記燃料が天然ガスである、［１７］のバーナ。